(57)【要約】【課題】容易に緩めることができず、防犯効果を高めることができるナットおよび専用工具を実現する。【解決手段】ナット１０の外周面１３には、角部および凹凸が形成されておらず、上面１２において底面１１に向けて凹むように形成された凹部１５の内壁１５ｃの形状が、六角ボルトの先端が突出する第２の孔１４ｄの周縁１４ａに向けて膨らんだ曲線１５ａと、第２の孔１４ｄの周縁１４ａから遠ざかる方向に膨らんだ曲線１５ｂとにより構成されている。したがって、タガネやポンチなどの先端を凹部１５に挿入してナット１０を回転させようとしても、その先端が内壁１５ｃで滑ってしまうため、ナット１０を回転させることができない。【選択図】図２
2018003974.tif 000002
【特許請求の範囲】
【請求項１】
底面と、
前記底面と平行な上面と、
前記底面の周縁と前記上面の周縁との間に連続して形成された外周面と、
前記上面において前記底面に向けて凹むように形成された凹部と、
前記底面に開口形成されており、当該ナットを螺合するボルトの先端を挿入するための第１の孔と、
前記凹部の内部の底面に開口形成されており、前記ボルトの先端が突出するための第２の孔と、
前記第１の孔と前記第２の孔との間に貫通形成されており、前記ボルトの雄ねじ部と噛み合う雌ねじ部が周面に形成されたボルト挿通孔と、を有し、
前記外周面には、角部および凹凸が形成されておらず、
前記上面を平面視した場合に、前記凹部の内壁の形状が、前記第２の孔の周縁に向けて膨らんだ曲線と、前記第２の孔の周縁から遠ざかる方向に膨らんだ曲線とにより構成されていることを特徴とするナット。
【請求項２】
前記ボルト挿通孔は、当該ナットおよび前記ボルトを用いて締結対象物を締結した場合に、前記ボルトの先端が前記上面を超える高さに突出するように形成されていることを特徴とする請求項１に記載のナット。
【請求項３】
前記外周面の少なくとも一部は、前記ボルト挿通孔の軸方向と直交する形状が、前記上面に近づくにつれて次第に直径が小さくなる形状に形成されていることを特徴とする請求項１または請求項２に記載のナット。
【請求項４】
請求項１ないし請求項３のいずれか１つに記載のナットを回転させるための専用工具であって、
本体と、
前記本体の上面に形成されており、前記ナットの凹部に合致した形状の凸部と、
前記凸部の上面に開口形成されており、前記凸部が前記凹部に嵌合した場合に、前記第２の孔から突出したボルトの先端を挿入可能な挿入孔と、を有し、前記凸部が前記凹部に嵌合した状態で前記本体を回転させることにより前記ナットを回転可能に構成されていることを特徴とする専用工具。
【発明の詳細な説明】
【技術分野】
【０００１】
この発明は、ボルトと組み合わせることにより締結対象物を締結するナットと、このナットを締めたり緩めたりする際に必要な専用工具とに関する。
【背景技術】
【０００２】
近年、トラックやクレーンなどに搭載されたバッテリーの盗難が多発している。これらの車両が狙われる要因は、バッテリーが車外に露出していることにあるが、それよりも、バッテリーの取付け構造に大きな要因がある。つまり、バッテリーが、ボルト・ナットによって車両に固定されているため、一般的な工具を使ってナットを緩めれば容易に取り外すことができるからである。
また、金属の高騰に起因して、建造物の銘板や面格子などの盗難も起きている。これらも、多くは、ボルト・ナットによって所定個所に固定されているため、一般的な工具を使ってナットを緩めれば、容易に取り外すことができる。
そこで、従来、そのような盗難を防止するためのナットおよび専用工具として特許文献１に記載のものが提案されている。
【０００３】
特許文献１に記載のものは、構造が異なる２個のナット（第一ナットおよび第二ナット）を組み合わせて構成されており、それら２個のナットは、構造が異なる２個の専用工具（第一工具および第二工具）によって、次の工程によりボルトに螺合される。
【０００４】
最初に、ボルトに螺合した第一ナットの上に第一工具を係合し、その第一工具に第二工具を係合し、その第二工具を回転させることによって第一ナットを締める。次に、第一工具および第二工具を取り外し、第二ナットを第一ナットの上に係合し、第二工具を用いて第二ナットを締める。
【先行技術文献】
【特許文献】
【０００５】
【特許文献１】特開２０１４−１５９９０号公報（図１，図４、第５０〜５５段落）
【発明の概要】
【発明が解決しようとする課題】
【０００６】
しかし、前述した従来のものは、各ナットの外面に複数の凹部がそれぞれ形成されているため、それら凹部に係止可能な工具を利用すれば、容易に各ナットを緩められるおそれがあり、防犯効果を高めることができないという問題がある。
さらに、従来のものは、構造が異なる２個のナット（第一ナットおよび第二ナット）を必要とする上、構造が異なる２個の専用工具（第一工具および第二工具）によって各ナットを個別に締める必要があるため、ナットの取付けに手間が掛かるし、ナットおよび専用工具の費用も掛かる。
【０００７】
そこで、この発明は、前述した諸課題を解決するために鋭意研究の結果成し遂げられたものであり、容易に緩めることができず、防犯効果を高めることができるナットおよび専用工具を実現することを主な目的とする。
【課題を解決するための手段】
【０００８】
（請求項１に係る発明）
前述した目的を達成するため、この出願の請求項１に係る発明では、
底面（１１）と、
前記底面と平行な上面（１２）と、
前記底面の周縁と前記上面の周縁との間に連続して形成された外周面（１３）と、
前記上面において前記底面に向けて凹むように形成された凹部（１５）と、
前記底面に開口形成されており、当該ナット（１０）を螺合するボルト（３０）の先端（３２）を挿入するための第１の孔（１４ｃ）と、
前記凹部の内部の底面に開口形成されており、前記ボルトの先端が突出するための第２の孔（１４ｄ）と、
前記第１の孔と前記第２の孔との間に貫通形成されており、前記ボルトの雄ねじ部（３３）と噛み合う雌ねじ部（１４ｂ）が周面に形成されたボルト挿通孔（１４）と、を有し、
前記外周面には、角部および凹凸が形成されておらず、
前記上面を平面視した場合に、前記凹部の内壁（１５ｃ）の形状が、前記第２の孔の周縁（１４ａ）に向けて膨らんだ曲線（１５ａ）と、前記第２の孔の周縁から遠ざかる方向に膨らんだ曲線（１５ｂ）とにより構成されているという技術的手段を用いる。
【０００９】
（請求項２に係る発明）
請求項２に係る発明では、請求項１に記載のナット（１０）において、
前記ボルト挿通孔（１４）は、当該ナットおよび前記ボルト（３０）を用いて締結対象物（４０，４１）を締結した場合に、前記ボルトの先端（３２）が前記上面（１２）を超える高さに突出するように形成されているという技術的手段を用いる。
【００１０】
（請求項３に係る発明）
請求項３に係る発明では、請求項１または請求項２に記載のナット（１０）において、
前記外周面（１３）の少なくとも一部（１３ｂ）は、前記ボルト挿通孔（１４）の軸方向と直交する形状が、前記上面（１２）に近づくにつれて次第に直径が小さくなる形状に形成されているという技術的手段を用いる。
【００１１】
（請求項４に係る発明）
請求項４に係る発明では、請求項１ないし請求項３のいずれか１つに記載のナット（１０）を回転させるための専用工具（２０）であって、
本体（２１）と、
前記本体の上面（２１ａ）に形成されており、前記ナットの凹部（１５）に合致した形状の凸部（２２）と、
前記凸部の上面に開口形成されており、前記凸部が前記凹部に嵌合した場合に、前記第２の孔（１４ｄ）から突出したボルト（３０）の先端（３２）を挿入可能な挿入孔（２２ａ）と、を有し、前記凸部が前記凹部に嵌合した状態で前記本体を回転させることにより前記ナットを回転可能に構成されているという技術的手段を用いる。
【００１２】
なお、上記各括弧内の符号は、後述する実施形態に記載の具体的手段との対応関係を示すものである。
【発明の効果】
【００１３】
（請求項１に係る発明）
請求項１に係る発明では、ナットの外周面には、角部および凹凸が形成されていないため、工具を角部または凹凸部に係止してナットを緩めるという手法を封じることができる。
さらに、上面には、底面に向けて凹む凹部が形成されており、その凹部の内部の底面には、ボルトの先端が突出するための第２の孔が開口形成されており、上面を平面視した場合に、凹部の内壁の形状が、第２の孔の周縁に向けて膨らんだ曲線と、第２の孔の周縁から遠ざかる方向に膨らんだ曲線とにより構成されている。
このため、タガネやポンチなどの先端を凹部に挿入してナットを回転させようとしても、その先端が凹部内で滑ってしまうので、ナットを回転させることができない。
つまり、上記凹部の内壁の形状に合致した凸部を有する専用工具を用いなければナットを緩めることができない。
したがって、請求項１に係る発明を実施すれば、容易に緩めることができず、防犯効果を高めることができるナットを実現することができる。
【００１４】
（請求項２に係る発明）
請求項２に係る発明では、ボルト挿通孔は、当該ナットおよびボルトを用いて締結対象物を締結した場合に、ボルトの先端が上面から突出する長さに形成されている。
したがって、マイナスやプラスのドライバーなど、専用工具以外の工具を凹部に挿入しようとしても、上面から突出したボルトが邪魔になるため、ナットを緩めることができない。
【００１５】
（請求項３に係る発明）
請求項３に係る発明では、外周面の少なくとも一部は、ボルト挿通孔の軸方向と直交する形状が、上面に近づくにつれて次第に直径が小さくなる形状に形成されている。
したがって、レンチのような工具によって外周面を挾持してナットを緩めようとしても、工具と外周面との接触面積が小さく工具が滑るため、ナットを緩めることができない。
【００１６】
（請求項４に係る発明）
請求項４に係る発明の専用工具を用いれば、第２の孔から突出したボルトの先端を挿入孔に挿入し、凸部をナットの凹部に嵌合した状態で本体を回転させることにより、ナットを締めたり緩めたりすることができる。
【図面の簡単な説明】
【００１７】
【図１】（ａ）は、この発明の実施形態に係るナット１０の平面図であり、（ｂ）は左側面図であり、（ｃ）は底面図である。
【図２】（ａ）は、ナット１０の平面図であり、（ｂ）は（ａ）のＡ−Ａ矢視断面図であり、（ｃ）は（ａ）のＢ−Ｂ矢視断面図である。
【図３】（ａ）は、この発明の実施形態に係る専用工具２０の右側面図であり、（ｂ）は平面図であり、（ｃ）は底面図である。
【図４】六角ボルト３０に螺合されたナット１０に専用工具２０を嵌合しようとする状態を示す説明図である。
【発明を実施するための形態】
【００１８】
この発明のナットおよび専用工具の実施形態について図を参照して説明する。
図１（ａ）は、この実施形態に係るナット１０の平面図であり、（ｂ）は左側面図であり、（ｃ）は底面図である。図２（ａ）は、ナット１０の平面図であり、（ｂ）は（ａ）のＡ−Ａ矢視断面図であり、（ｃ）は（ａ）のＢ−Ｂ矢視断面図である。
【００１９】
［ナットの構造］
図１および図２に示すように、この実施形態のナット１０は、円形の底面１１と、この底面１１と平行な上面１２と、底面１１の周縁と上面１２の周縁との間に連続して形成された外周面１３と、上面１２において底面１１に向けて凹むように形成された凹部１５とを有する。外周面１３には、六角ナットなどに形成されているような角部や凸部が形成されていない。さらに、外周面１３には、従来のナット（特許文献１）のような凹部も形成されていない。
したがって、工具を角部または凹凸部に係止してナットを緩めるという手法を封じることができる。
【００２０】
さらに、ボルト挿通孔１４の軸方向と直交する外周面１３の形状は円形に形成されている。さらに、外周面１３のうち、底面１１に近い外周面１３ａは同じ直径の円形に形成されており、その外周面１３ａ以外の外周面１３ｂは、上面１２に近づくにつれて次第に直径が小さくなる曲面形状に形成されている。
したがって、レンチのような工具によって外周面１３を挾持してナット１０を緩めようとしても、工具と外周面１３との接触面積が小さく工具が滑るため、ナット１３を緩めることができない。
【００２１】
さらに、図２に示すように、ナット１０の底面１１には、ナット１０を螺合する六角ボルト３０（図４）の先端３２を挿入するための第１の孔１４ｃが開口形成されており、凹部１５の内部の底面には、六角ボルト３０の先端３２が突出するための第２の孔１４ｄが開口形成されている。さらに、第１の孔１４ｃと第２の孔１４ｄとの間には、六角ボルト３０の雄ねじ部３３と噛み合う雌ねじ部１４ｂが周面に形成されたボルト挿通孔１４が貫通形成されている。
【００２２】
さらに、上面１２を平面視した場合に、凹部１５の内壁１５ｃの形状が、第２の孔１４ｄの周縁１４ａに向けて膨らんだ曲線１５ａと、第２の孔１４ｄの周縁１４ａから遠ざかる方向に膨らんだ曲線１５ｂとにより構成されている。
このため、タガネやポンチなどの先端を凹部１５に挿入してナット１０を回転させようとしても、その先端が内壁１５ｃで滑ってしまうので、ナット１０を回転させることができない。
つまり、凹部１５の内壁の形状に合致した凸部を有する専用工具２０（図３）を用いなければナット１０を緩めることができない。
この実施形態では、凹部１５の内壁１５ｃの形状は、ヘクサロビュラ穴の形状である。また、曲線１５ａ，１５ｂによって形成される内壁１５ｃの上縁にはＲが付いている。
【００２３】
さらに、図４に示すように、ボルト挿通孔１４は、ナット１０および六角ボルト３０を用いて締結対象物４０，４１を締結した場合に、六角ボルト３０の先端３２がナット１０の上面１２を超える高さに突出するように形成されている。
したがって、マイナスやプラスのドライバーなど、専用工具以外の工具を凹部１５に挿入しようとしても、上面から突出したボルトが邪魔になるため、ナットを緩めることができない。
また、ナット１０の底面１１は、その周縁が締結対象物に対して外当りするように形成されており、ナット１０を締結した際の底面１１の逆反りを防ぎ、底面１１の全面が締結対象物に密着し、締結強度が高まるように工夫されている。
【００２４】
［専用工具の構造］
次に、ナット１０を締めたり緩めたりするための専用工具の構造について図３を参照して説明する。
図３（ａ）は、この実施形態に係る専用工具２０の右側面図であり、（ｂ）は平面図であり、（ｃ）は底面図である。
【００２５】
専用工具２０は、本体２１を有し、この本体２１の一端２１ａには、ナット１０の凹部１５に合致した形状の凸部２２が形成されている。また、本体２１の他端２１ｂには、六角ナット形状の六角部２３が形成されている。六角部２３は、ボックスレンチ、ソケットレンチおよびスパナなどの工具によって挾持する部分である。この実施形態では、本体２１は円柱形状に形成されている。また、凸部２２の上面には、挿入孔２２ａが開口形成されている。挿入孔２２ａは、凸部２２の上面から六角部２３の底面にかけて貫通形成されている。凸部２２をナット１０凹部１５に嵌合し、ナット１０を六角ボルト３０に螺合する場合に、ナット１０の第２の孔１４ｄ（図２）から突出してくる六角ボルト３０の先端３２（図４）が挿入孔２２ａに挿入される。なお、挿入孔２２ａは貫通形成しないで有底にしても良い。この場合、その挿入孔２２ａは、ナット１０を六角ボルト３０に最後まで螺合した際に、六角ボルト３０の先端３２が挿入孔２２ａの底部に到達しない深さに形成する。
【００２６】
［ナット１０および専用工具２０の使用方法］
次に、ナット１０および専用工具２０の使用方法について図４を参照して説明する。
図４は、六角ボルト３０に螺合されたナット１０に専用工具２０を嵌合しようとする状態を示す説明図である。ここでは、締結対象部材４０，４１が、それぞれ金属製の板状に形成されている場合を説明する。
【００２７】
先ず、六角ボルト３０を座金３１を介して締結対象部材４０，４１にそれぞれ貫通形成された貫通孔４０ａ，４０ｂに挿通する。次に、ナット１０の外周面１３を指で摘み、ナット１０を時計回りに回転させながら、貫通孔４０ｂから突出した六角ボルト３０の先端３２にナット１０のボルト挿通孔１４を螺合する。そして、専用工具２０の凸部２２をナット１０の凹部１５に嵌合する。このとき、ナット１０の凹部１５を形成する内壁１５ｃの上縁にはＲが付いているため、専用工具２０の凸部２２の先端が内壁１５ｃの上縁に当接した場合でも、引っ掛かることなく、凹部１５の内部に滑らかに案内される。そして、ボックスレンチ、ソケットレンチおよびスパナなどの工具によって専用工具２０の六角部２３を挾持し、その工具を時計回りに回転させ、ナット１０を締付ける。そして、専用工具２０の凸部２２ををナット１０の凹部１５から外し、ナット１０の締付け作業を終了する。
【００２８】
また、締結対象部材４０，４１を締結したナット１０を緩める場合は、専用工具２０の凸部２２をナット１０の凹部１５に嵌合し、ボックスレンチ、ソケットレンチおよびスパナなどの工具によって専用工具２０の六角部２３を挾持し、その工具を反時計回りに回転させ、ナット１０を緩める。
このように、専用工具２０を用いれば、専用工具２０の凸部２２をナット１０の凹部１５に嵌合した状態で本体２１を回転させることにより、ナット１０を締めたり緩めたりすることができる。
【００２９】
この実施形態では、ナット１０の底面１１の直径が約２０ｍｍ、上面１２の直径が約１５ｍｍである。また、凹部１５の内壁１５ｃの最大直径が１３．３６〜１３．４９ｍｍ、最小直径が９．５５〜９．６８ｍｍ、凹部１５の深さが３．０ｍｍ、ボルト挿通孔１４の全長は８．０ｍｍである。六角ボルト３０は、呼び径が８ｍｍ、呼び長さが２５ｍｍである。また、ボルト挿通孔１４は、締結対象物に対する締結を完了したときに、ボルトの先端が上面１２から２〜３ｍｍ突出する長さに形成されている。
【００３０】
また、ナット１０の材質は、使用箇所に応じて、鉄、ステンレス、アルミニウム、チタン、真鍮、銅などから選択することができる。さらに、ナット１０の表面は、使用箇所に応じて、三価クロメートめっき、亜鉛ニッケル合金めっき、ジオメット、カチオン電着塗装などから選択して処理することができる。
【００３１】
［本発明のナットの適用箇所］
（１）本発明のナットは、バッテリーを車両に固定するための部材に用いることにより、バッテリーの盗難防止効果を高めることができる。たとえば、車両に搭載されるバッテリーは、バッテリーの上部を跨ぐステーと、このステーの両端にそれぞれ挿通された一対のボルトと、各ボルトに螺合される一対のナットとによって車両に固定されるため、それら各ナットとして本発明のナットを用いれば、容易にナットを緩めることができないため、バッテリーの盗難を防止することができる。特に、トラック、クレーン車、フォークリフト、その他の特殊車両など、バッテリーが車外に露出しており、盗難に遭いやすい車両に適用すれば盗難防止効果が高い。
【００３２】
（２）自動販売機やＡＴＭ（現金自動預け払い機）が、ボルトおよびナットによって所定個所に固定されている場合において、そのナットとして本発明のナットを用いることにより、自動販売機やＡＴＭの盗難防止効果を高めることができる。
（３）近年、屋外に設置されているソーラーパネルの盗難被害が多発している。屋外に設置されるソーラーパネルが、ボルトおよびナットを使って設置台に取付けられている場合において、そのナットとして本発明のナットを用いることにより、屋外に設置されているソーラーパネルの盗難防止効果を高めることができる。
【００３３】
（４）その他に、橋や建物の銘板、監視カメラ、エアコン室外機、公衆トイレの温水便座、街路灯、面格子など、ボルトナットによって取付けられている物に対して本発明のナットを使用することにより、それらの物の盗難防止効果を高めることができる。
（５）また、公園などに設置されている遊具には、ボルトおよびナットが多用されているため、そのナットとして本発明のナットを用いることにより、ナットを緩めるといういたずらを防止する効果を高めることができる。
【００３４】
〈他の実施形態〉
（１）ナット１０の外周面１３の形状として、直径が同一の外周面１３ａを設けないで、底面１１から上面１２に近づくにつれて次第に直径が小さくなる形状に形成することもできる。また、外周面１３は曲面形状の他、テーパ形状に形成しても良い。
（２）ナット１０の凹部１５の形状は、ヘクサロビュラ穴の形状の他、５組または７組以上の曲線１５ａ，１５ｂを組み合わせた形状でも良い。また、凹部１５を平面視した形状は、第２の孔１４ｄの中心を対称点とした場合に点対称でなくても良い。
（３）専用工具２０の本体２１を六角ナット形状に形成し、六角部２３をなくしても良い。この構造の場合は、ボックスレンチ、ソケットレンチおよびスパナなどの工具によって本体２１を挾持して専用工具２０を回転させる。
【符号の説明】
【００３５】
１０・・ナット、１１・・底面、１２・・上面、１３・・外周面、
１４・・ボルト挿通孔、１４ａ・・周縁、１４ｂ・・雌ねじ部、１４ｃ・・第１の孔、
１４ｄ・・第２の孔、１５・・凹部、１５ａ，１５ｂ・・曲線、１５ｃ・・内壁、
２０・・専用工具、２１・・本体、２２・・凸部、２３・・六角部、
３０・・六角ボルト、３２・・先端、４０，４１・・締結対象部材。
【図１】
2018003974.tif 000003
【図２】
2018003974.tif 000004
【図３】
2018003974.tif 000005
【図４】
2018003974.tif 000006
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
底面と、
前記底面と平行な上面と、
前記底面の周縁と前記上面の周縁との間に連続して形成された外周面と、
前記上面において前記底面に向けて凹むように形成されており、当該ナットを回転させるための専用工具の凸部を嵌合可能な凹部と、
前記底面に開口形成されており、当該ナットを螺合するボルトの先端を挿入するための第１の孔と、
前記凹部の内部の底面に開口形成されており、前記ボルトの先端が突出するための第２の孔と、
前記第１の孔と前記第２の孔との間に貫通形成されており、前記ボルトの雄ねじ部と噛み合う雌ねじ部が周面に形成されたボルト挿通孔と、を有し、
前記外周面には、角部および凹凸が形成されておらず、
前記上面を平面視した場合に、前記凹部の内壁の形状が、ヘクサロビュラ穴の形状であり、
前記ボルト挿通孔は、当該ナットおよび前記ボルトを用いて締結対象物を締結した場合に、前記ボルトの先端が前記上面を超える高さに突出するように形成されており、
前記外周面の少なくとも一部は、前記ボルト挿通孔の軸方向と直交する形状が、前記上面に近づくにつれて次第に直径が小さくなる形状に形成されており、
前記凹部の内壁の上縁にはＲが付いており、
前記底面は、その周縁が前記締結対象物に対して外当りするように形成されていることを特徴とするナット。
【請求項２】
請求項１に記載のナットを回転させるための専用工具であって、
本体と、
前記本体の上面に形成されており、前記ナットの凹部に合致した形状の凸部と、
前記凸部の上面に開口形成されており、前記凸部が前記凹部に嵌合した場合に、前記第２の孔から突出したボルトの先端を挿入可能な挿入孔と、を有し、前記凸部が前記凹部に嵌合した状態で前記本体を回転させることにより前記ナットを回転可能に構成されていることを特徴とする専用工具。
【手続補正２】
【補正対象書類名】明細書
【補正対象項目名】０００８
【補正方法】変更
【補正の内容】
【０００８】
（請求項１に係る発明）
前述した目的を達成するため、この出願の請求項１に係る発明では、
底面（１１）と、
前記底面と平行な上面（１２）と、
前記底面の周縁と前記上面の周縁との間に連続して形成された外周面（１３）と、
前記上面において前記底面に向けて凹むように形成されており、当該ナットを回転させるための専用工具の凸部を嵌合可能な凹部（１５）と、
前記底面に開口形成されており、当該ナット（１０）を螺合するボルト（３０）の先端（３２）を挿入するための第１の孔（１４ｃ）と、
前記凹部の内部の底面に開口形成されており、前記ボルトの先端が突出するための第２の孔（１４ｄ）と、
前記第１の孔と前記第２の孔との間に貫通形成されており、前記ボルトの雄ねじ部（３３）と噛み合う雌ねじ部（１４ｂ）が周面に形成されたボルト挿通孔（１４）と、を有し、
前記外周面には、角部および凹凸が形成されておらず、
前記上面を平面視した場合に、前記凹部の内壁（１５ｃ）の形状が、ヘクサロビュラ穴の形状であり、
前記ボルト挿通孔は、当該ナットおよび前記ボルトを用いて締結対象物（４０，４１）を締結した場合に、前記ボルトの先端が前記上面を超える高さに突出するように形成されており、
前記外周面の少なくとも一部（１３ｂ）は、前記ボルト挿通孔の軸方向と直交する形状が、前記上面に近づくにつれて次第に直径が小さくなる形状に形成されており、
前記凹部の内壁の上縁にはＲが付いており、
前記底面は、その周縁が前記締結対象物に対して外当りするように形成されているという技術的手段を用いる。
【手続補正３】
【補正対象書類名】明細書
【補正対象項目名】０００９
【補正方法】変更
【補正の内容】
【０００９】
【手続補正４】
【補正対象書類名】明細書
【補正対象項目名】００１０
【補正方法】変更
【補正の内容】
【００１０】
【手続補正５】
【補正対象書類名】明細書
【補正対象項目名】００１１
【補正方法】変更
【補正の内容】
【００１１】
（請求項２に係る発明）
請求項２に係る発明では、請求項１に記載のナット（１０）を回転させるための専用工具（２０）であって、
本体（２１）と、
前記本体の上面（２１ａ）に形成されており、前記ナットの凹部（１５）に合致した形状の凸部（２２）と、
前記凸部の上面に開口形成されており、前記凸部が前記凹部に嵌合した場合に、前記第２の孔（１４ｄ）から突出したボルト（３０）の先端（３２）を挿入可能な挿入孔（２２ａ）と、を有し、前記凸部が前記凹部に嵌合した状態で前記本体を回転させることにより前記ナットを回転可能に構成されているという技術的手段を用いる。
【手続補正６】
【補正対象書類名】明細書
【補正対象項目名】００１３
【補正方法】変更
【補正の内容】
【００１３】
（請求項１に係る発明）
請求項１に係る発明では、ナットの外周面には、角部および凹凸が形成されていないため、工具を角部または凹凸部に係止してナットを緩めるという手法を封じることができる。
さらに、上面には、底面に向けて凹む凹部が形成されており、その凹部の内部の底面には、ボルトの先端が突出するための第２の孔が開口形成されており、上面を平面視した場合に、凹部の内壁の形状が、ヘクサロビュラ穴の形状である。
このため、タガネやポンチなどの先端を凹部に挿入してナットを回転させようとしても、その先端が凹部内で滑ってしまうので、ナットを回転させることができない。
つまり、上記凹部の内壁の形状に合致した凸部を有する専用工具を用いなければナットを緩めることができない。
したがって、請求項１に係る発明を実施すれば、容易に緩めることができず、防犯効果を高めることができるナットを実現することができる。
【手続補正７】
【補正対象書類名】明細書
【補正対象項目名】００１４
【補正方法】変更
【補正の内容】
【００１４】
しかも、ボルト挿通孔は、当該ナットおよびボルトを用いて締結対象物を締結した場合に、ボルトの先端が上面から突出する長さに形成されている。
したがって、マイナスやプラスのドライバーなど、専用工具以外の工具を凹部に挿入しようとしても、上面から突出したボルトが邪魔になるため、ナットを緩めることができない。
【手続補正８】
【補正対象書類名】明細書
【補正対象項目名】００１５
【補正方法】変更
【補正の内容】
【００１５】
さらに、外周面の少なくとも一部は、ボルト挿通孔の軸方向と直交する形状が、上面に近づくにつれて次第に直径が小さくなる形状に形成されている。
したがって、レンチのような工具によって外周面を挾持してナットを緩めようとしても、工具と外周面との接触面積が小さく工具が滑るため、ナットを緩めることができない。
さらに、凹部の内壁の上縁にはＲが付いているため、専用工具の凸部の先端が内壁の上縁に当接した場合でも、引っ掛かることなく、凹部の内部に滑らかに案内される。
さらに、底面は、その周縁が締結対象物に対して外当りするように形成されているため、当該ナットを締結した際の底面の逆反りを防ぎ、底面の全面が締結対象物に密着するので、締結強度を高めることができる。
【手続補正９】
【補正対象書類名】明細書
【補正対象項目名】００１６
【補正方法】変更
【補正の内容】
【００１６】
（請求項２に係る発明）
請求項２に係る発明の専用工具を用いれば、第２の孔から突出したボルトの先端を挿入孔に挿入し、凸部をナットの凹部に嵌合した状態で本体を回転させることにより、ナットを締めたり緩めたりすることができる。